(57)【特許請求の範囲】
【請求項１】
アミン化合物とポリビニルアミンおよび／またはポリアリルアミンとを含むフォトレジスト剥離液組成物。
【請求項２】
アミン化合物とポリビニルアミンおよび／またはポリアリルアミンと水とを含むフォトレジスト剥離液組成物。
【請求項３】
ポリビニルアミンまたはポリアリルアミンの重量平均分子量が２５０以上である請求項１または２に記載のフォトレジスト剥離液組成物
【請求項４】
アミン化合物が、アルキルアミン、アルカノールアミン、ポリアミン、ヒドロキシルアミン、環式アミンまたは四級アンモニウムである請求項１〜３何れか１項記載のフォトレジスト剥離液組成物。
【請求項５】
さらに、有機溶剤を含む請求項１〜４何れか１項記載のフォトレジスト剥離液組成物。
【請求項６】
請求項１または２記載のフォトレジスト剥離液組成物を使用して、シリコンを含む基板上からレジスト剥離を行う、半導体素子の製造方法。
【発明の詳細な説明】
【０００１】
【発明の属する技術分野】
リソグラフィー技術を利用する際に使用されるフォトレジストは、IC, LSIのような集積回路、LCD、EL素子の様な表示機器、プリント基板、微小機械、DNAチップ等、広い分野で使用されている。本発明は、特に種々の基板等の物質表面からフォトレジストを剥離するために使用するフォトレジスト剥離用組成物に関する。
【０００２】
【従来の技術】
近年、ポリシリコンのようなシリコンを含む半導体素子や液晶表示パネルのプロセスが多く使用されるようになってきており、シリコンを腐蝕しないフォトレジスト剥離液が求められるようになってきている。また、フォトレジストを使用する基板の多くがシリコンであるが、通常、酸化シリコンの層があり、簡単には腐蝕しない。しかし、最近、長時間の処理や酸化層が薄くなる処理のあとにフォトレジスト剥離処理を行うプロセスが増え、シリコンが腐蝕しやすくなってきている。従来、フォトレジスト除去にはアルカリ性剥離液が使用されている。例えば東京応化のTOK106はアルカノールアミンとジメチルスルホキシド、EKC テクノロジーのEKC265はアルカノールアミン、ヒドロキシルアミンとカテコールと水の溶液である。一般的に、これらアルカリ化合物フォトレジスト剥離用組成物はフォトレジスト剥離工程で使用されるが、水を含まないフォトレジスト剥離液はドライエッチングによる金属含有成分の除去が完全に行えない欠点を有している。この欠点を改善すべく水分を含有するアミン溶液はシリコンやアルミ、アルミ合金を腐蝕する欠点を有している。これに対し、ヒドロキシルアミンを含む液は水含有下でもシリコン等の腐蝕は小さい。しかし、ヒドロキシルアミンは高価であり、非常に分解しやすい欠点を有している。また、ヒドロキシルアミンは大量にないと有効に防食できない欠点がある。
【０００３】
【発明が解決しようとする課題】
本発明の目的は、従来技術における上記の如き、剥離液の問題点を解決し、基板上に塗布されたフォトレジスト膜、または基板に塗布されたフォトレジスト膜をエッチング後に残存するフォトレジスト層、あるいはフォトレジスト層をエッチング後にアッシングを行い残存するフォトレジスト残査物等を短時間で容易に剥離でき、その際種々の材料を腐食せず、特にシリコンを腐蝕しにくい高精度の回路配線を製造できるフォトレジスト剥離液組成物を提供することである。
【０００４】
【課題を解決するための手段】
本発明者等らは、前記目的を達成するために鋭意検討を重ねた結果、アミン化合物とアミンポリマーとからなるフォトレジスト剥離液組成物が、残存するフォトレジスト残査物等を短時間で容易に剥離でき、その際、種々の材料を腐食せず、優れた特性があることを見出し、本発明を完成するに至った。
【０００５】
【発明の実施の形態】
本発明は基板からフォトレジストを除去するための組成物であって、アミン化合物とアミンポリマーからなるフォトレジスト剥離液組成物である。さらに、アミン化合物、アミンポリマーおよび水からなるフォトレジスト剥離液組成物により、より効果的にレジスト剥離を行うこともできる。
【０００６】
本発明に使用されるアミンポリマーは、重量平均分子量が250以上あればよく、窒素原子は側鎖、主鎖どちらに含有していてもかまわない。分子量の大きい物については特に限定されないが大きすぎるとアミンと混和しにくくなる。アミンポリマーはフリ-型、塩型どちらでもよく、目的に応じて使用でき、好ましくはフリー型および有機酸塩型である。
【０００７】
アミンポリマーの具体例としてはポリエチレンイミン、ポリビニルアミン、ポリアリルアミン、ポリオルニチン、ポリリジン、ポリアリルビグアニドアリルアミン、ポリアリル-N-カルバモイルグアニジノアリルアミン、ポリアリルアミン共重合体、ポリジアリルアミン、ポリジアリルアミン共重合体等を挙げることができる。本発明ではアミンポリマーであれば良くこの例に限定されない。アミンポリマーは１種または２種以上を使用しても良い。
好ましくはポリエチレンイミン、ポリビニルアミンおよびポリアリルアミンが容易に入手しやすく使用しやすい。以下にこのポリマーの構造式を示すが、これは模式的に示したものである。
【０００８】
【化１】
0004639567.tif 000002
【０００９】
本発明においてアミンポリマーは上記の化合物に限定されず、アミノ基を含む構造を持つポリマーであればよい。アミノ基は1級、2級、3級、4級の形式にかかわらず、有効である。また、それらが混在していてもかまわない。例えば、市販のポリエチレンイミン(日本触媒)は1級35％、二級35％、三級30％の混合形であるが有効に働くことができる。
【００１０】
通常、アミン化合物によってシリコンは腐蝕されることが多くあるがアミンポリマーにより防食することができる。その機構については以下のように予想される。シリコンが腐蝕する際にはシリケートイオンもしくはアミン化合物配位体として溶出すると考えられる。この際にアミンポリマーがあることにより、溶出の前にアミンポリマーが表面で配位、もしくは対カチオン体として不動態膜を形成し、それによって溶出を抑えていると考えられる。
アミンポリマーはシリコンの腐蝕を抑制するだけでなく、その他の配線材料に対しても腐食を抑える効果を有している。特にアルミ、アルミ合金に対しても有効に働くことができる。
【００１１】
本発明で使用するアミン化合物としてはアルキルアミン、アルカノールアミン、ポリアミン、ヒドロキシルアミン、環式アミンおよび四級アンモニウム等が挙げられる。
アルキルアミンの具体例として、メチルアミン、エチルアミン、ｎ-プロピルアミン、イソプロピルアミン、ｎ-ブチルアミン、ｓｅｃ-ブチルアミン、イソブチルアミン、 ｔ-ブチルアミン、ペンチルアミン、２-アミノペンタン、３-アミノペンタン、１-アミノ-２-メチルブタン、２-アミノ-２-メチルブタン、３-アミノ-２-メチルブタン、４-アミノ-２-メチルブタン、ヘキシルアミン、５-アミノ-２-メチルペンタン、ヘプチルアミン、オクチルアミン、ノニルアミン、デシルアミン、ウンデシルアミン、ドデシルアミン、トリデシルアミン、テトラデシルアミン、ペンタデシルアミン、ヘキサデシルアミン、ヘプタデシルアミン、オクタデシルアミン等の第一アルキルアミン、ジメチルアミン、ジエチルアミン、ジプロピルアミン、ジイソプロピルアミン、ジブチルアミン、ジイソブチルアミン、ジ-ｓｅｃ-ブチルアミン、ジ-ｔ-ブチルアミン、ジペンチルアミン、ジヘキシルアミン、ジヘプチルアミン、ジオクチルアミン、ジノニルアミン、ジデシルアミン、メチルエチルアミン、メチルプロピルアミン、メチルイソプロピルアミン、メチルブチルアミン、メチルイソブチルアミン、 メチル-ｓｅｃ-ブチルアミン、メチル-ｔ-ブチルアミン、メチルアミルアミン、メチルイソアミルアミン、エチルプロピルアミン、エチルイソプロピルアミン、エチルブチルアミン、エチルイソブチルアミン、エチル-ｓｅｃ-ブチルアミン、エチルアミン、エチルイソアミルアミン、プロピルブチルアミン、プロピルイソブチルアミン等の第二アルキルアミン、トリメチルアミン、トリエチルアミン、トリプロピルアミン、トリブチルアミン、トリペンチルアミン、ジメチルエチルアミン、メチルジエチルアミン、メチルジプロピルアミン、N-エチリデンメチルアミン、N-エチリデンエチルアミン、N-エチリデンプロピルアミン、N-エチリデンブチルアミン、等の第三アルキルアミン等があげられる。
【００１２】
アルカノールアミンの具体例としては、エタノールアミン、Ｎ-メチルエタノールアミン、Ｎ-エチルエタノールアミン、Ｎ-プロピルエタノールアミン、Ｎ-ブチエタノールアミン、ジエタノールアミン、イソプロパノールアミン、Ｎ-メチルイソプロパノールアミン、Ｎ-エチルイソプロパノールアミン、Ｎ-プロピルイソプロパノールアミン、２-アミノプロパン-１-オ-ル、Ｎ-メチル-２-アミノ-プロパン-１-オ-ル、Ｎ-エチル-２-アミノ-プロパン-１-オ-ル、１-アミノプロパン-３-オ-ル、Ｎ-メチル-１-アミノプロパン-３-オ-ル、Ｎ-エチル-１-アミノプロパン-３-オ-ル、１-アミノブタン-２-オ-ル、Ｎ-メチル-１-アミノブタン-２-オ-ル、Ｎ-エチル-１-アミノブタン-２オ-ル、２-アミノブタン-１-オ-ル、Ｎ-メチル-２-アミノブタン-１-オ-ル、Ｎ-エチル-２-アミノブタン-１-オ-ル、３-アミノブタン-１-オ-ル、Ｎ-メチル-３-アミノブタン-１-オ-ル、Ｎ-エチル-３-アミノブタン-１-オ-ル、１-アミノブタン-４-オ-ル、Ｎ-メチル１-アミノブタン-４-オ-ル、Ｎ-エチル-１-アミノブタン-４-オ-ル、１-アミノ-２-メチルプロパン-２-オ-ル、２-アミノ-２-メチルプロパン-１-オ-ル、１-アミノペンタン-４-オ-ル、２-アミノ-４-メチルペンタン-１-オ-ル、２-アミノヘキサン-１-オ-ル、３-アミノヘプタン-４-オ-ル、１-アミノオクタン-２-オ-ル、５-アミノオクタン-４-オ-ル、１-アミノプパン-２，３-ジオ-ル、２-アミノプロパン-１，３-ジオ-ル、トリス（オキシメチル）アミノメタン、１，２-ジアミノプロパン-３-オ-ル、１，３-ジアミノプロパン-２-オ-ル、２-（２-アミノエトキシ）エタノール、N-エチリデンエタノールアミン、N-エチリデンエトキシエタノールアミン、N-ヒドロキシメチルエタノールアミン、N-ヒドロキシメチルエチレンジアミン N,N'-ビス（ヒドロキシメチル）エチレンジアミン、N-ヒドロキシメチルプロパノールアミン等があげられる。
【００１３】
ポリアミンとしては、エチレンジアミン、プロピレンジアミン、トリメチレンジアミン、テトラメチレンジアミン、１，３-ジアミノブタン、２，３-ジアミノブタン、ペンタメチレンジアミン、２，４-ジアミノペンタン、ヘキサメチレンジアミン、ヘプタメチレンジアミン、オクタメチレンジアミン、ノナメチレンジアミン、Ｎ-メチルエチレンジアミン、Ｎ，Ｎ-ジメチルエチレンジアミン、トリメチルエチレンジアミン、Ｎ-エチルエチレンジアミン、Ｎ，Ｎ-ジエチルエチレンジアミン、トリエチルエチレンジアミン、 １，２，３-トリアミノプロパン、ヒドラジン、トリス（２-アミノエチル）アミン、テトラ（アミノメチル）メタン、ジエチレントリアミン、トリエチレンテトラミン、テトラエチルペンタミン、ヘプタエチレンオクタミン、ノナエチレンデカミン、ジアザビシクロウンデセン、ポリエチレンイミン、ポリビニルアミン、ポリアリルアミン等があげられる。
【００１４】
ヒドロキシルアミンとしては、ヒドロキシルアミン、N-メチルヒドロキシルアミン、N-エチルヒドロキシルアミン、N, N-ジエチルヒドロキシルアミンがあげられる。
【００１５】
環式アミンとしては、具体的にはピロール、２-メチルピロール、３-メチルピロール、２-エチルピロール、３-エチルピロール、２，３-ジメチルピロール、２，４ジメチルピロール、３，４-ジメチルピロール、２，３，４-トリメチルピロール、２，３，５-トリメチルピロール、２-ピロリン、３-ピロリン、ピロリジン、２-メチルピロリジン、３-メチルピロリジン、ピラゾ-ル、イミダゾ-ル、１，２，３-トリアゾ-ル、１，２，３，４-テトラゾ-ル、ピペリジン、２-ピペコリン、３-ピペコリン、４-ピペコリン、 ２-４ルペチジン、２，６-ルペチジン、３，５-ルペチジン、ピペラジン、２-メチルピペラジン、２，５-ジメチルピペラジン、２，６-メチルピペラジン、モルホリン等があげられる。
【００１６】
四級アンモニウムとしては、テトラメチルアンモニウムハイドロキサイト、テトラエチルアンモニウムハイドロキサイト、テトラプロピルアンモニウムハイドロキサイト、テトラブチルアンモニウムハイドロキサイト、コリンハイドロキサイト、アセチルコリンハイドロキサイト等があげられる。
【００１７】
本発明に使用されるアミンは上記のアミンに限定されなく、アミン化合物であれば何ら制約されない。
【００１８】
上記アミン類の中で特に、、メチルアミン、エチルアミン、プロピルアミン、ブチルアミン、エタノールアミン、Ｎ-メチルエタノールアミン、Ｎ-エチルエタノールアミン、ジエタノールアミン、イソプロパノールアミン、2-（2-アミノエトキシ）エタノール、エチレンジアミン、プロピレンジアミン、ブチレンジアミン、ジエチレントリアミン、ピペラジンおよびモルホリンが好ましい。
【００１９】
本発明で使用するアミンポリマーもアミン化合物の1種であり、アミンポリマーをアミン化合物として使用することができる。この場合、アミンポリマーのみで使用することができる。
これらのアミン化合物は１種または２種以上を使用しても良い。
【００２０】
本発明に使用される有機溶剤は、上記のアミンポリマ-とアミン化合物の混合物と混和可能であればよく、特に制限がない。好ましくは水溶性有機溶剤である。具体例としてはエチレングリコ-ル、エチレングリコ-ルモノエチルエ-テル、エチレングリコ-ルモノブチルエ-テル、ジエチレングリコ-ルモノメチルエ-テル、ジエチレンゴリコ-ルモノエチルエ-テル、ジエチレングリコ-ルモノブチルエ-テル、プロピレングリコ-ルモノメチルエ-テル、プロピレングリコ-ルモノエチルエ-テル、プロピレングリコ-ルモノブチルエ-テル、ジプロピレングリコ-ルモノメチルエ-テル、ジプロピレングリコ-ルモノエチルエ-テル、ジプロピレングリコ-ルモノブチルエ-テル、ジエチレングリコ-ルジメチルエ-テル、ジプロピレングリコ-ルジメチルエ-テル等のエ-テル系溶剤、ホルムアミド、モノメチルホルムアミド、ジメチルホルムアミド、モノエチルホルムアミド、ジエチルホルムアミド、アセトアミド、モノメチルアセトアミド、ジメチルアセトアミド、モノエチルアセトアミド、ジエチルアセトアミド、Ｎ-メチルピロリドン、Ｎ-エチルピロリドン等のアミド系溶剤、メチルアルコ-ル、エチルアルコ-ル、イソプロパノール、エチレングリコ-ル、プロピレングリコ-ル等のアルコ-ル系溶剤、ジメチルスルホキシド等のスルホキシド系溶剤、ジメチルスルホン、ジエチルスルホン、テトラメチレンスルホン等のスルホン系溶剤、１，３-ジメチル-２-イミダゾリジノン、１，３-ジエチル-２-イミダゾリジノン、１，３-ジイソプロピル-２-イミダゾリジノン等のイミダゾリジノン系溶剤、γ-ブチロラクトン、δ-バレロラクトン等のラクトン系溶剤等があげられる。さらには、トリメチルアミンオキサイド、メチルモルホリンオキサイド等のアミンオキサイド溶剤があげられる。
これらの中でジメチルスルホキシド、Ｎ，Ｎ-ジメチルホルムアルド、Ｎ，Ｎ-ジメチルアセトアミド、Ｎ-メチルピロリドン、ジエチレングリコ-ルモノメチルエ-テル、ジエチレングリコ-ルモノブチルエ-テル、ジプロピレングリコ-ルモノメチルエ-テル、ジプロピレングリコ-ルモノブチルエ-テル、プロピレングリコ-ルは入手しやすく、沸点も高く使用しやすい。
【００２１】
本発明のレジスト剥離液組成物には、必要に応じて防食剤が使用できる。防食剤の種類としては燐酸系、カルボン酸系、アミン系、オキシム系、芳香族ヒドロキシ化合物、トリアゾ-ル化合物、糖アルコ-ルがあげられる。このうち防食剤が芳香族ヒドロキシ化合物、糖アルコ-ル化合物、トリアゾ-ル化合物が一般的で使用しやすい。
防食剤の具体例としては、1,2-プロパンジアミンテトラメチレンホスホン酸、ヒドロキシエタンホスホン酸等の燐酸系、エチレンジアミンテトラアセティックアシッド、ジヒドロキシエチルグリシン、ニトリロトリアセティックアシッド、シュウ酸、クエン酸、リンゴ酸、酒石酸等のカルボン酸系、ビビリジン、テトラフェニルポルフィリン、フェナントロリン、2,3-ピリジンジオ-ル等のアミン系、ジメチルグリオキシム、ジフェニルグリオキシム等のオキシム系、フェニルアセチレン、２，５-ジメチル-3-ヘキシン-2,5-ジオ-ル等のアセチレン系防食剤等が挙げられる。
【００２２】
芳香族ヒドロキシ化合物としては、具体的にフェノール、クレゾ-ル、キシレノール、ピロカテコ-ル、t-ブチルカテコ-ル、レゾルシノール、ヒドロキノン、ピロガロール、 １，２，４-ベンゼントリオ-ル、サリチルアルコ-ル、ｐ-ヒドロキシベンジルアルコ-ル、ｏ-ヒドロキシベンジルアルコ-ル、ｐ-ヒドロキシフェネチルアルコ-ル、ｐ-アミノフェノール、ｍ-アミノフェノール、ジアミノフェノール、アミノレゾルシノール、ｐ-ヒドロキシ安息香酸、ｏ-ヒドロキシ安息香酸、２，４-ジヒドロキ安息香酸、２,５-ジヒドロキシ安息香酸、3,4-ジヒドロキシ安息香酸、３，５-ジヒドロキシ安息香酸、没食子酸等があげられる。糖アルコ-ルとしてはソルビト-ル、キシリトール、パラチニット等が例としてあげられる。されにはベンゾトリアゾール、アミノトリアゾール、アミノテトラゾール等のトリゾール系化合物が防食剤として上げられる。これらの化合物の１種または２種以上を組み合わせて使用できる。
【００２３】
本発明においてアミン化合物は0.1〜95重量％、アミンポリマー濃度は0.0001〜95重量％、有機溶剤0-99重量％の範囲で使用される。
有機溶剤の使用量には特に制限がないが、組成物の粘度、比重もしくはエッチング、アッシング条件等を勘案して、適宜濃度を決定すればよい。  本発明の組成物において防食剤の添加量に特に制限はないが、0〜30重量％、好ましくは15重量％以下である。
本発明における水の使用は、特に制限がないが、エッチング、アッシング条件等を勘案して濃度を決定すればよい。通常0〜50重量％の範囲で使用される。水がまったく存在しない場合には多くの場合シリコンのエッチングは非常に小さく、アミンポリマーの機能は有効に働かない。しかし、多くの半導体プロセスではレジスト剥離後に水でリンスを行うことが多く、そのときに水と混合した状態を作る。そのためアミンポリマーを含むフォトレジスト剥離液は水混合時に腐蝕しない利点を有している。
【００２４】
本発明のフォトレジスト剥離液を使用して、レジストを剥離する際の温度は通常は常温〜150℃の範囲であるが、特に70℃以下の低い温度で剥離することができ、材料へのアタックを考慮するとできるだけ低い温度で実施するのが好ましい。
【００２５】
本発明に使用する基板材料は、シリコン、非晶質シリコン、ポリシリコン、シリコン酸化膜、シリコン窒化膜、銅及び銅合金、アルミニウム、アルミニウム合金、金、白金、銀、チタン、チタン-タングステン、窒化チタン、タングステン、タンタル、タンタル化合物、クロム、クロム酸化物、クロム合金、ITO（インジュウム-スズ酸化物）等の半導体配線材料あるいはガリウム-砒素、ガリウム-リン、インジウム-リン等の化合物半導体、ストロンチウム-ビスマス-タンタル等の誘電体材料、さらにＬＣＤのガラス基板等が使用される。特に有効であるのはベアシリコン、非晶質シリコン、ポリシリコンを含む基板である。
【００２６】
本発明の半導体素子の製造方法は、所定のパタ-ンをレジストで形成された膜の不要部分をエッチング除去したのち、レジストを上述した剥離液で除去するものであるが、エッチング後、所望により灰化処理を行い、しかる後にエッチングにより生じた残査を、上述した剥離液で除去できる。
ここで言う灰化処理（アッシング）とは、例えば有機高分子よりなるレジストをプラズマ中で発生する酸素プラズマにより、燃焼反応でＣＯ，ＣＯ２ として除去するものである。
【００２７】
本発明のフォトレジスト剥離液を使用した後のリンス法としては、アルコ-ルのような有機溶剤を使用しても良く、あるいは、水でリンスを行っても良く、特に制限はない。
【００２８】
【実施例】
次に実施例により本発明を具体的に説明する。但し本発明はこれらの実施例により制限されるものではない。
【００２９】
実施例１、参考例１〜６および比較例１, ２
本実施例は、絶縁膜の上にアモルファスシリコン（ａ‐Ｓｉ）が成膜されたガラス基板に、レジストを塗布後、現像を行った。その後ドライエッチング工程を経て回路を形成した。この基板を使用して、レジスト剥離性の試験をした。また、アモルファスシリコンのエッチングレ-トも測定した。表１に記載の組成の剥離液に上記の基板を４０℃で浸積した。所定時間後、基板を取り出し、水リンスした後窒素ガスでブローして乾燥後、光学顕微鏡で観察した。レジスト剥離に必要な時間を測定した。アモルファスシリコンのエッチングレート測定前にはバッファードフッ酸で酸化層を除去してから処理した。アモルファスシリコンのエッチングレートは光学式膜厚計を使用して求めた。表1にその結果を示す。
【００３０】
【表１】
0004639567.tif 000003
【００３１】
実施例２〜４、参考例７〜１０および比較例３，４
半導体素子を作るために、レジスト膜をマスクとしてドライエッチングを行い、Ａｌ合金（Ａｌ-Ｃｕ）配線体５を形成し、さらに酸素プラズマにより灰化処理を行った半導体装置の一部分の断面図を図１に示した。半導体装置はシリコン基板１の上に酸化膜２が形成され、酸化膜２上に、配線体であるＡｌ合金５が形成され、側壁にレジスト残査６が残存している。なお、バリアメタルとして、チタン３、窒化チタン４が存在している。図１に示した半導体装置を表２に示す組成の剥離液に７０℃１５分浸漬した後、超純水でリンスして乾燥し、電子顕微鏡（ＳＥＭ）で観察を行った。レジスト残渣６の剥離状態と、アルミニウム配線体５の腐食状態についての評価を行った結果を表２に示す。なお、ＳＥＭ観察による評価基準は次の通りである。
Ａ：完全に除去された。
Ｂ：残存物が認められた。
Ｃ：腐食が認められた。
この実験に使用した組成物のベアシリコンのエッチングレートも７０℃で測定した。
【００３２】
【表２】
0004639567.tif 000004
【００３３】
実施例５〜７、参考例１１〜１４および比較例５，６
本実施例は、薄層トランジスタ-を形成するためＳｉＯ２上に低温ポリシリコン（ｐ‐Ｓｉ）の構造をもつガラス基板のレジストを除去する試験を行った。図２に試験基板のポリシリコン露出部の断面図を示す。ガラス基板１１の上にＳｉＯ２１０をはさんで低温ポリシリコン９が形成されている。その上に絶縁層７があり、この上にレジスト８が残っている。絶縁層の無い部分があり、レジスト剥離液に直接触れる部分が存在する。レジスト剥離性の試験をした。また、ポリシリコンのエッチングレートも測定した。表３に示した組成の剥離液に前記の基板を４０℃で浸積した。所定時間後、基板を取り出し、水リンスした後窒素ガスでブローして乾燥後、光学顕微鏡で観察した。レジスト剥離に必要な時間を測定した。ポリシリコンのエッチングレート測定前にはバッファードフッ酸で酸化層を除去してから処理した。ポリシリコンのエッチングレートは光学式膜厚計を使用して求めた。表３にその結果を示す。
【００３４】
【表３】
0004639567.tif 000005
【００３５】
【発明の効果】
本発明のフォトレジスト剥離液を使用することにより、短時間でレジスト剥離を行うことができる。さらには、配線材料等の腐食なく特にシリコンの腐蝕なしに剥離することが出来る。さらに詳しく言うと、本発明のフォトレジスト剥離液はベアシリコン、アモルファス、ポリシリコンの区別無く、有効に腐蝕を抑制することができ、シリコンを含む基板から腐食無くフォトレジストを剥離できる。
【図面の簡単な説明】
【図１】酸素プラズマにより灰化処理を行った半導体装置の一部分の断面図である。
【図２】試験基板のポリシリコン露出部の断面図である。
【符号の説明】
１シリコン基板、２酸化膜、３チタン、４窒化チタン、５Ａｌ合金、６レジスト残渣、７絶縁層、８レジスト、９ポリシリコン、１０ＳｉＯ2、１１ガラス
【図１】
0004639567.tif 000006
【図２】
0004639567.tif 000007